(57)【要約】【課題】建造物の床材であって、壁に近い場所でも床材を残らず剥離する床材剥離機を提供する。【解決手段】  台車１５の前部に配設されたブーム１１は、その前部を軸として、垂直軸周りに回動自在に設けられている。これにより、台車１５に対して、刃物１２を旋回することができる。この結果、壁に近い場所での床材を剥離することができる。壁に近い場所においても、剥離する床材の取り残しが少ない。また、ブレード１３の下部に、床材を剥離する刃物１２を着脱自在に取り付けることができる。通常の状態では、ブレード１３の中央部に配設することができ、壁面を行う場合では、ブレード１３の端部に配設することができる。【選択図】図１
2008202309.tif 000002
【特許請求の範囲】
【請求項１】
台車の前部に配設されたブームの先端に設けられた刃物が振動することにより、建造物の床面に貼り付けられた床材を剥離する床材剥離機であって、
上記ブームは、台車の前部を軸として、垂直軸周りに回動自在に設けられたことを特徴とする床材剥離機。
【請求項２】
上記台車の前部には、その台車の幅方向に伸びるブレードが配設され、
そのブレードの下部には、床材を剥離する刃物の取付箇所がブレードの幅方向に複数個配設されたことを特徴とする請求項１に記載の床材剥離機。
【請求項３】
上記ブレードの下部には、ブレードの幅方向に伸びるゴム板が配設され、
そのゴム板は、平面視して、その中央部が走行方向に突出した山形状を有して配設されたことを特徴とする請求項２に記載の床材剥離機。
【発明の詳細な説明】
【技術分野】
【０００１】
この発明は床材剥離機、詳しくは建造物の解体時において床材を剥離する床材剥離機の機構に関する。
【背景技術】
【０００２】
従来、建造物の床材は、エポキシ樹脂を用いて貼り付けられており、その接着力が高い。そのため、その床材を剥がすのに相当の労力を要していた。作業者が、手作業で床材を剥がすと、剥がす作業量が増えるばかりでなく、接着力が強力なため床材の取り残しが生じていた。
【０００３】
このため、キャタピラ式の台車のブームの先端に床材を剥離する刃物を備えた床材剥離機の発明がいくつかなされている。その床材剥離機は、ブームの先端に設けられた刃物を振動させて、Ｐタイルなどを剥離するものである。例えば、特許文献１には、上下に旋回自在に設けられるブームの先端に配設された振動具を備えた床材剥離機の構造が開示されている。
【０００４】
【特許文献１】特開平１１−８１６９８号公報
【発明の開示】
【発明が解決しようとする課題】
【０００５】
上記特許文献１に記載の床材剥離機は、刃物を振動させる振動体を垂直方向に旋回可能に設けている。また、刃物の旋回は、ブームとともに、クローラに対して台車を旋回することにより行っている。その刃物は、その台車の略中央部に配設されている。
【０００６】
しかし、上記特許文献１に記載の床材剥離機は、台車を旋回することができても、刃物を垂直軸周りに旋回することができない。このため、壁面に沿って刃物を滑らすことができず、壁に近い部分での床材の取り残す問題が生じていた。
【０００７】
この発明は、上記問題を解決するためになされたもので、建造物の床材であって、壁に近い場所でも床材を残らず剥離する床材剥離機を提供することを目的とする。
また、この発明は、硬質から軟質の床材まで剥離する床材剥離機を提供することを目的とする。
【課題を解決するための手段】
【０００８】
請求項１に記載の発明は、台車の前部に配設されたブームの先端に設けられた刃物が振動することにより、建造物の床面に貼り付けられた床材を剥離する床材剥離機であって、上記ブームは、台車の前部を軸として、垂直軸周りに回動自在に設けられたことを特徴とする床材剥離機である。
【０００９】
床材剥離機で剥離する床材としては、例えば、Ｐタイルなどの塩化ビニール系のものが挙げられる。また、床材は、上記Ｐタイル、陶器質などの硬質の床材でもよく、ビニール系の軟質の床材でもよい。
台車は、その台車に運転者が乗って操縦するタイプでもよいし、運転者が随伴しながら台車を操縦するタイプでもよい。
床材を剥離する刃物の幅は限定されない。また、その長さも限定されない。
【００１０】
請求項１に記載の床材剥離機にあっては、台車の前部に配設されたブームは、その前部を軸として、垂直軸周りに回動自在に設けられている。これにより、台車に対して、刃物を旋回することができる。この結果、壁に近い場所での床材を剥離することができる。その壁に近い場所においても、剥離する床材の取り残しが少ない。
【００１１】
請求項２に記載の発明は、上記台車の前部には、その台車の幅方向に伸びるブレードが配設され、そのブレードの下部には、床材を剥離する刃物の取付箇所がブレードの幅方向に複数個配設されたことを特徴とする請求項１に記載の床材剥離機である。
刃物は、台車の幅方向に延びるブレードの中央部または両端部に取り付けることができる。すなわち、ブレードに刃物を取り付ける取付箇所は複数個設けることができる。その取付箇所の数は限定されない。
【００１２】
請求項２に記載の床材剥離機にあっては、台車の前部には、機体の幅方向に伸びるブレードが設けられている。そのブレードの下部に、床材を剥離する刃物を着脱自在に取り付けることができる。通常の状態では、ブレードの中央部に配設することができ、壁面を行う場合では、ブレードの端部に配設することができる。
【００１３】
請求項３に記載の発明は、上記ブレードの下部には、ブレードの幅方向に伸びるゴム板が配設され、そのゴム板は、平面視して、その中央部が走行方向に突出した山形状を有して配設されたことを特徴とする請求項２に記載の床材剥離機である。
【００１４】
請求項３に記載の床材剥離機にあっては、ブームの先端に配設された刃物で剥離した床材の一部が床面に残ってしまい、機体がその残った床材を乗り上げてしまうことがある。これにより、機体を水平状態に保つことができず、刃物を水平に保った状態で、床材を剥離することができない問題が生じてしまう。そこで、ブレードの下部に、走行方向に山形に突出したゴム板を配設した。これにより、機体を前方に進めると、ブレード板の下部に配設されたゴム板で、剥離した床材などを除去することができる。その剥離した床材を除去することにより、剥離した床材の一部による機体の乗り上げを防止することができる。また、ゴム板を平面視して走行方向に山形に突出して配設することにより、剥離した床材をブレードの両端部に集めることができる。
【発明の効果】
【００１５】
この発明によれば、台車の先端に配設されたブームを回転することにより、振動体に連結された刃物を旋回することができる。これにより、壁に近い部分の床材を剥離することができる。
また、ブレードの下部に、床材を剥離する刃物を着脱自在に取り付けることができる。通常の状態では、ブレードの中央部に配設することができ、壁面を行う場合では、ブレードの端部に配設することができる。
【発明を実施するための最良の形態】
【００１６】
以下に、本願発明の実施の形態について図１〜図４を参照して説明する。
【００１７】
最初に、床材剥離機１０の構成について図１を参照して説明する。
図１に示すように、本発明に係る床材剥離機１０は、台車１５を備えている。その台車１５は、運転席２２と、操縦装置２３とを備えている。台車１５の側方部には一対のクローラ２１が配設され、台車１５を走行可能に設けることができる。台車１５には、例えばディーゼルエンジンが搭載されている。
【００１８】
台車１５の前部であって、略中央部には、その台車１５に前部に突出した取付用支点２４が設けられている。その取付用支点２４は、略三角柱状に形成されている。その取付用支点２４には、ブームブラケット２５の基端部が、上記取付用支点２４を軸として、ピン３５で垂直軸周りに回動自在に配設されている。そして、そのブームブラケット２５の先端部には、ピン２６を支点として、ブーム１１が上下方向に回動自在に設けられている。上記ブーム１１は、側面視して、その基端部（台車１５側）が狭く、その先端部が幅広に形成されている。
【００１９】
さらに、上記台車１５の先端部とブーム１１の先端側の辺の中央部とを結ぶシリンダ３０およびピストンロッド３１が配設されている。すなわち、シリンダ３０内のピストンロッド３１が進入することにより、上記ブーム１１を上下に回動することができる。
【００２０】
ブーム１１先端側の一方の角部には、床材を剥離する刃物１２と、その刃物１２を振動させる振動アクチュエータ１７とがピン２８で連結されている。
振動アクチュエータ１７は、主として、刃物１２を振動させる駆動源となる電動モータ３２と、電動モータ３２からの動力を受け、回転により刃物１２を前後に振動させる偏心回転子３３からなる。
【００２１】
また、ブーム１１先端側の他方の角部には、上記振動アクチュエータ１７を支持するとともに、上記振動アクチュエータ１７を上下に回動させる第２のシリンダ２９および第２のピストンロッド３９が配設されている。これにより、振動アクチュエータ１７は、上記ブーム１１の先端部に対してピン軸２７を軸として上下に回動自在に設けられている。また、ブーム１１の先端部の他方に、図示しないコイルばねを設けて、上記第２のシリンダ２９と第２ピストンロッド３９とで連結している。これにより、上記振動アクチュエータ１７は、上記ブーム１１に対してたわみを持たせて設けることができる。
【００２２】
そして、床材を剥離する刃物１２が設けられる。刃物１２の素材は、剛性な鉄材である。その刃物１２は、例えば、その幅が略２７０ｍｍ、その長さは略９０ｍｍ、その厚みが略１２〜１６ｍｍである。刃物１２には、所定の間隔を有して、切欠き部（図示せず）が複数個設けられている。刃物１２は、上記振動アクチュエータ１７に対して固定板（図示せず）を用いてねじ止めされる。
【００２３】
次に、床材剥離機１０を用いて床材を剥離する方法について説明する。
まず、運転者は、台車１５の運転席２２に座りながら、台車１５の先端に配設されたブーム１１を上方に回動させる。次いで、ブーム１１を上方に持ち上げた状態で、剥離したい床材の場所に台車１５を走らせる。台車１５が、所定の位置に到達したら、ブーム１１を下方に下ろす。また、床材に対して、所定角度を有して刃物１２を当接させる。
【００２４】
さらに、振動アクチュエータ１７内の電動モータ３２を駆動させ、振動アクチュエータ１７に取り付けられた刃物１２を前後に振動させる。そして、刃物１２を床材に当接しながら、台車１５を前方に進める。これにより、床材を剥離することができる。例えば、エポキシ樹脂などの強力な接着剤を用いて接着された床材を、簡単に剥離することができる。
【００２５】
また、本願発明に係る床材剥離機１０は、台車１５の前部を支点として、ブーム１１を台車１５の前部で垂直軸周りに回動することができる。図２に示すように、台車１５の先端の支点として、ブーム１１を回動することにより、壁に近い部分で床材を剥離する作業を行うことができる。これにより、運転者は、台車１５の運転席２２において、壁面に近い床材を剥離するのを確認しながら、剥離作業を行うことができる。
【００２６】
次に、ブレード１３の構成について説明する。
上記台車１５のクローラ２１の前部には、その台車１５に幅方向に伸びるブレード１３板が設けられている。ブレード１３は、その背面部から台車１５の本体に向かって伸びる１対の支持部材３４を備えている。その支持部材３４の先端には、ブレード１３を台車１５の本体に対して上下に回動自在とするピン孔３９が設けられている。また、ブレード１３の中央と、台車１５の本体との間には、ブレードシリンダ４４が配設されている。すなわち、ブレードシリンダ４４のピストンロッド４５を進入させることにより、ピン軸３９を支点として、ブレード１３を上下に回動自在に設けている。
さらに、ブレード１３の表面は、凹面を有している。
【００２７】
通常、ブレード１３は、排土作業およびスタビライザ機能を備えている。それに加え、本願発明では、ブレード１３の下部には、刃物１２が着脱自在に取り付けられ、その刃物１２で軟らかい材質のものを剥離することができる。
【００２８】
具体的には、ブレード１３の下部には、保持部材３８を介して、刃物１２を取り付ける複数個のねじ孔３７が設けられている。刃物１２は、ブレード１３の下部において、複数箇所取り付け可能に設けられる。すなわち、図３に示すように、ブレード１３の下部であって、中央部および両端部には、刃物１２を取り付ける複数個のねじ孔３７が設けられている。ブレード１３の下部に配設される刃物１２は、その上部から固定部材３６を用いて、ボルト締めされる。刃物１２は、床面に対して、略４０°〜４５°の角度を有して配設されている。
【００２９】
上記刃物１２は、ブレード１３の中央部または両端部に取り付け可能に設けられている。通常の床材の剥離においては、刃物１２をブレード１３の中央部に取り付けて作業を行う。また、壁面に近い場所においては、刃物１２をブレード１３の端部の一方または他方に取り付けて作業を行う。これにより、壁面に近い場所においても、床材を残らず剥離することができる。
そして、ブレード１３に刃物１２を取り付けた状態で、台車１５を進めることにより、比較的軟質のビニール系の床材を剥離することができる。また、剥離した床材の屑などを集めることができる。
【００３０】
次に、ブレード１３の下部に設けられたゴム板１４について図４を参照して説明する。
また、本願発明に係る床材剥離機１０のブレード１３の下部には、ゴム板１４を配設することができる。すなわち、図４（ｃ）に示すように、厚さが数１０ｍｍのゴム板１４を準備し、そのゴム板１４を鉄材４２で挟み込み、ボルト４３およびナット４４で締結することにより、ゴム板１４を取り付ける。ゴム板１４は、図４（ａ）に示すように、平面視して、ブレード１３の中央部が走行方向に突出した構成を有している。
【００３１】
そして、上記ゴム板１４をブレード１３の下部に取り付ける。ブレード１３の下部と、ブレード１３背面の支持部材３４とにおいて、取付ステー４０，４１を用いて、ゴム板１４を取り付ける。なお、取り付けに際し、図４（ｂ）に示すように、ブレード１３を床面に向かって下げたとき、上記ゴム板１４の床材への当接面が、略水平になるように上記ゴム板１４を設けている。
【００３２】
これにより、ブームの先端に配設された刃物で剥離した床材の一部を除去することができる。その剥離した床材を除去することにより、剥離した床材の一部による機体の乗り上げを防止することができる。
また、ゴム板１４は、図４（ａ）に示すように、平面視して、ブレード１３の中央部が走行方向に突出した構成を有しているので、剥離した床材をブレード１３の両端部に集めることができる。
【図面の簡単な説明】
【００３３】
【図１】この発明に係る床材剥離機の全体構成を示す側面図である。
【図２】この発明に係る床材剥離機で、壁面に近い場所での床を剥離している状態を示す平面図である。
【図３】この発明に係る床材剥離機のブレードの構成を示す斜視図である。
【図４】この発明に係る床材剥離機のブレードの下部に配設されたゴム板に構成を示し、（ａ）はその平面図である。（ｂ）はその側面図である。（ｃ）はその断面図である。
【符号の説明】
【００３４】
１０  床材剥離機、
１１  ブーム、
１２  刃物、
１３  ブレード、
１４  ゴム板、
１５  台車。
【図１】
2008202309.tif 000003
【図２】
2008202309.tif 000004
【図３】
2008202309.tif 000005
【図４】
2008202309.tif 000006